(57)【要約】【課題】列設した回転ディスクの回転力によって、水平に設置された補給レール内を搬送されるようにした回転媒体の水平搬送装置において、コストが低廉で、保守点検性に優れる回転ディスクの駆動手段を実現する。【解決手段】回転ディスク９は駆動歯車１５と一体にされ、アーム１１ａ，１１ｂの重ね合わせ部に穿設された取付け穴１２ａ，１２ｂに回転自在に装着される。また、中間歯車２１は、アーム１１ａ，１１ｂのもう一端に形成した重ね合わせ部に穿設された取付け穴１３ａ，１３ｂ（ねじ穴）を利用して回転自在に装着される。これにより、中間歯車２１は、隣接する２つの駆動歯車１５と正しく噛み合わせることができ、補給レール４の総ての回転ディスク９を回転させることができるようになる。そして、２つの補給レール４の結合も可能となる。【選択図】  図３
2004275672.tif 000002
【特許請求の範囲】
【請求項１】
遊技機上に架設される補給レールと、前記補給レール内に長手方向に並設された複数の回転ディスクと、前記回転ディスクを回転駆動させるための駆動装置とを備え、前記回転ディスクの回転力によって、前記遊技機に補給すべき遊技媒体を補給レールの一端から他端に向けて順次搬送するように構成された遊技媒体の水平搬送装置において、
前記回転ディスクの回転力は、該回転ディスクと回転中心を同一とする駆動歯車と、隣接する前記駆動歯車の両者と同時に噛み合うように配設される中間歯車とにより、伝達されることを特徴とする遊技媒体の水平搬送装置。
【請求項２】
前記中間歯車の支持軸は、それぞれの一端が重なり合うように配設された２枚のアームの該重なり部に穿設された取付け穴によって保持されるとともに、前記アームの他端は、隣接する回転ディスクの回転中心をそれぞれ中心として旋回可能に支持されることを特徴とする請求項１に記載の遊技媒体の水平搬送装置。
【請求項３】
前記補給レールの端部に配設された前記アームの一端と、他の補給レールの端部に配設された前記アームの一端とが重なり合うように配設され、該重なり部に穿設された取付け穴によって前記中間歯車の支持軸が保持されることにより、２本の前記補給レールが一体に結合するように構成されることを特徴とする請求項１または請求項２に記載の遊技媒体の水平搬送装置。
【発明の詳細な説明】
【０００１】
【発明の属する技術分野】
この発明は、遊技機島に用いられ、その遊技機島を構成する遊技機や遊技媒体貸出機に遊技媒体を搬送するための水平搬送装置に関するもので、特に回転ディスクへの回転力の伝達手段に関する。
【０００２】
【従来の技術】
従来、一般的には、パチンコ台などの遊技機島を構成する遊技機に、パチンコ玉などの遊技媒体を搬送するには、補給レールを傾斜状に形成し、その傾斜を利用し、各々の遊技機に遊技媒体を供給していた。しかしながら、このような構成の補給経路を備えた遊技機島では、遊技機島の上部が高くなり、しかもその度合いは補給経路が長くなるほど著しくなる。このため、遊技島台が防犯カメラの視界を遮ったり、遊技場内の照明を多くする必要があるなど、遊技場の内装設備等のレイアウトの自由度を阻害するという恐れがあった。
【０００３】
そこで、補給経路の長さに関わらず遊技機島の上部を一定高さに保つことのできる遊技媒体の搬送装置として、水平搬送装置の開発が望まれていた。水平搬送装置の従来技術としては、たとえば特許第２５１８４９０号（特許文献１）に開示された構成のものがある。この水平搬送装置は、水平搬送ベルトを利用したものであるが、部品点数の多さやベルト駆動装置の大きさなどから、コスト高，保守点検の煩雑さ，高さを低くすることの限界などの問題があった。
【特許文献１】
特許第２５１８４９０号（特開平６−３９１３６）
【０００４】
【発明が解決しようとする課題】
上記の如き問題を解決するために、本発明者は、このほど、補給レール内に長手方向に複数の回転ディスクを並設し、該回転ディスクの回転力を利用して順次遊技媒体を搬送させるという構成でもって、搬送装置を水平に設置することを可能とした遊技媒体の水平搬送装置の開発に成功し、別途特許出願している。
【０００５】
この発明は、上記のような遊技媒体の水平搬送装置において、確実な性能が得られ、かつコストの低廉な回転ディスクへの回転力の伝達手段を提供することにあり、加えて複数の補給レールを繋いで全長を延伸することのできる回転力の伝達手段を提供することを課題とするものである。
【０００６】
【課題を解決するための手段】
この発明の請求項１に記載の遊技媒体の水平搬送装置は、遊技機上に架設される補給レールと、前記補給レール内に長手方向に並設された複数の回転ディスクと、前記回転ディスクを回転駆動させるための駆動装置とを備え、前記回転ディスクの回転力によって、前記遊技機に補給すべき遊技媒体を補給レールの一端から他端に向けて順次搬送するように構成された遊技媒体の水平搬送装置において、前記回転ディスクの回転力は、該回転ディスクと回転中心を同一とする駆動歯車と、隣接する前記駆動歯車の両者と同時に噛み合うように配設される中間歯車とにより、伝達されることを特徴とするものである。
【０００７】
このような構成とすることにより、回転力を供給する駆動装置が一台あれば、これより供給される回転力は、中間歯車を介して回転ディスクと一体となった駆動歯車に次々と伝達され、補給レール内に長手方向に並設された総ての回転ディスクを回転させることができるようになる。
【０００８】
この発明の請求項２に記載の遊技媒体の水平搬送装置は、請求項１に記載の遊技媒体の水平搬送装置において、前記中間歯車の支持軸は、それぞれの一端が重なり合うように配設された２枚のアームの該重なり部に穿設された取付け穴によって保持されるとともに、前記アームの他端は、隣接する回転ディスクの回転中心をそれぞれ中心として旋回可能に支持されることを特徴とするものである。
【０００９】
このような構成とすることにより、回転ディスクの回転中心と中間歯車の回転中心との距離を規定できるようになるため、中間歯車は、隣接する回転ディスクの駆動歯車の両者と正しく噛み合わせて装着することができるようになる。位置が決まったら、アームはボルトなどによってしっかりと固定される。
【００１０】
この発明の請求項３に記載の遊技媒体の遊技媒体の水平搬送装置は、請求項１または請求項２に記載の水平搬送装置において、前記補給レールの端部に配設された前記アームの一端と、他の補給レールの端部に配設された前記アームの一端とが重なり合うように配設され、該重なり部に穿設された取付け穴によって前記中間歯車の支持軸が保持されることにより、２本の前記補給レールが一体に結合するように構成されることを特徴とするものである。
【００１１】
請求項１または請求項２に記載の構成を補給レールの端部に応用することにより、２本の補給レールをあたかも一体であるかのように結合することができるようになる。これを繰り返せばさらに増設が可能となる。なお、補給レールは直線状にのみ繋ぐ必要はなく、繋ぎ目に角度をつけることにより、方向を変えて結合することも可能である。
【００１２】
【発明の実施の形態】
次に、この発明の実施の一形態について、図を参照しながら説明する。図１は、本発明の実施に関わる遊技媒体の水平搬送装置を搭載した遊技島を示す正面図、また図２はその平面図である。これらの図に示すように、本発明に関わる水平搬送装置１は、列設した遊技機Ａの島に設置され、補給タンク２の内部に貯留された遊技媒体３を、補給レール４の適所に設けた補給シュート５を介して遊技機Ａに供給するとともに、残った遊技媒体３を循環ホース６と下部タンク７を経由させ、揚送装置８によって補給タンク２に循環させるための搬送装置である。
【００１３】
補給レール４における遊技媒体３の搬送通路は、底壁，２つの側壁およびカバーからなる断面四角形状の筒形に形成される。補給レール４の底壁には、長手方向に沿って複数の窪みが凹設され、この窪みに回転ディスク９が嵌装される。このとき、底壁の床面と回転ディスク９の上面とは略同一平面に形成される。これにより、補給レール４が水平に架設されたものであっても、回転ディスク９の回転力によって、遊技媒体３は順次補給レール４上を搬送されることが、この水平搬送装置１の特徴となっている。
【００１４】
図２に例示の補給レール４は、総ての回転ディスク９が反時計回りに回転する場合を示したものである。補給シュート５は、回転方向前方側に配置される補給シュート５ａと回転方向後方側に配置された補給シュート５ｂとに分類され、遊技媒体３は、補給シュート５ａに対しては直接的に供給される。また、補給シュート５ｂには、補給シュート５ｂに対応して配設されたブロック状のガイド１０でもって遊技媒体３の溜まり場を形成させることにより、供給されるようになっている。
【００１５】
図３は、図２の拡大詳細図である。ただし、カバーやガイド１０など、この発明の説明に直接関わらない個所については図を省略してある。理解しやすいように、回転ディスク９も取り外してある。また、図４は、この発明に関わる一部要部を分解したときの斜視図を示し、図５は、図２の一部分についての分解を交えた正面図を示している。
【００１６】
これらの図において、主要構成部品の一つとして、多角形平板状をなす２種類のアーム１１ａ，アーム１１ｂが使用さる。そして、アーム１１ａのコーナ部には、取付け穴１２ａおよび取付け穴１３ａが対向して穿設される。また、アーム１１ｂにも２つの取付け穴がコーナ部に対向して穿設されるが、一方は取付け穴１２ｂであり、他方の取付け穴は、ねじの螺設されたねじ穴１３ｂに形成される。さらに、アーム１１ａおよび１１ｂには、それぞれ取付け穴１２ａ，１２ｂを旋回の中心として円周方向に延びる長穴１４が穿設されている。
【００１７】
上記において、アーム１１ａの一端とアーム１１ｂの一端とは重ね置きされて取付け穴１２ａと取付け穴１２ｂとの中心が一致するように配設される。また、アーム１１ａの他端とアーム１２ａの他端についても重ね合わせて配設され、取付け穴１３ａとねじ穴１３ｂとが中心軸が一致するように配設される。
【００１８】
駆動歯車１５はたとえば平歯車であって、上下面より２つのスペーサ１６によって挟持されたのちボルト１７により締め付け固定される。回転ディスク９はスペーサ１６の上部に載置されて締付ねじ１８により締め付け固定される。そしてこれらの軸心部には回転軸１９が挿入され、さらに回転軸１９はベアリング２０とも嵌合されている。ベアリング２０は、アーム１１ａおよびアーム１１ｂの一端を重ね合わせて同心に形成される取付け穴１２ａおよび取付け穴１２ｂに嵌装される。これにより、駆動歯車１５の回転が回転ディスク９の回転としてそのまま伝わる構成となる。
【００１９】
中間歯車２１はたとえば平歯車であって、その取付け穴２２には２つのベアリング２３が嵌装される。ベアリング２３の中心部には支持軸２４が挿入され、支持軸２４の軸心に穿設された貫通穴には締付ねじ２５が挿入される。取付け穴１３ａおよびねじ穴１３ｂはアーム１１ａおよびアーム１１ｂの他端を重ね合わせて同心に配設され、締付ねじ２５は、ねじ穴１３ｂに螺合される。ベアリング２３の内輪が支持軸２４に固定されることになり、中間歯車２１は支持軸２４に支持されながらフリーに回転可能な状態となる。
【００２０】
回転ディスク９の回転は、駆動装置２６によって与えられる。駆動装置２６は一般的には直交軸ギアモータと呼ばれるもので、駆動装置２６により供される回転力が歯車を介して間断なく伝達されなければならない。そのためには中間歯車２１が、隣接する２つの駆動歯車１５の両者と正しく噛み合うことが必要となるが、この発明の構成は、アーム１１ａの取付け穴１２ａと取付け穴１３ａとの距離、およびアーム１１ｂの取付け穴１２ｂとねじ穴１３ｂとの距離でもって規定できるという特徴がある。アーム１１ａ，１１ｂは、長穴１４に挿通する取付けボルト２７によって補給レール４の底壁に固定されるが、長穴１４は、取付け穴１２ａ，１２ｂを旋回の中心として円周方向に延びる形状となっているので、固定位置の微調整をすることができる。
【００２１】
図３に示された補給レール４の端部Ｘにおいても、アームを利用するという上記の構成をそのまま採用することにより、他の同様の補給レールの端部との結合が可能となる。結合の状態は、図３のＹ部に示されている。結合された２本の補給レールは、あたかも一体の補給レール４を形成している。なお、結合される補給レール同士が正確に位置決めされるためには、たとえば補給レール４の底壁の下に長手方向に沿う凸部を設け、遊技島に凹設した溝部と嵌合させるという配慮が必要である。
【００２２】
【発明の効果】
以上のように、この発明によれば、一台の駆動装置により供される回転力が、中間歯車を介して複数の回転ディスクに間断なく伝えられ、総ての回転ディスクを回転させることができるようになるため、省スペースやレイアウト性に優れるという特長を有する遊技媒体の水平搬送装置を提供できるようになる。中間歯車は、２つのアームの重ね合わせ部で支持されるから、その軸心位置が正確かつ容易に規定できるようになり、隣接する回転ディスクの駆動歯車との噛み合わせが正しく得られる。補給レールの端部についても同じ構成を採用することにより、２つの補給レールを一体に結合することが可能となり、回転力は繋がれた補給レールの側にも伝達される。このような水平搬送装置は、簡単な構成部品でもって構成されているので、製造コストが低廉であり、故障が起きにくく、また保守点検や修理の容易な装置となっている。
【図面の簡単な説明】
【図１】この発明の実施に関わる遊技媒体の水平搬送装置を備えた遊技島を示す正面図である。
【図２】図１に示す水平搬送装置の平面図である。
【図３】図２の要部拡大詳細図である。
【図４】この発明の一部要部を分解して表した斜視図である。
【図５】この発明の一部要部について分解を交えた正面図である。
【符号の説明】
１…水平搬送装置
３…遊技媒体
４…補給レール
５，５ａ，５ｂ…補給シュート
９…回転ディスク
１１ａ，１１ｂ…アーム
１２ａ，１２ｂ，１３ａ…取付け穴
１３ｂ…ねじ穴
１５…駆動歯車
２０…ベアリング
２１…中間歯車
２３…ベアリング
【図１】
2004275672.tif 000003
【図２】
2004275672.tif 000004
【図３】
2004275672.tif 000005
【図４】
2004275672.tif 000006
【図５】
2004275672.tif 000007
【手続補正書】
【提出日】平成15年7月1日(2003.7.1)
【手続補正１】
【補正対象書類名】明細書
【補正対象項目名】００１６
【補正方法】変更
【補正の内容】
【００１６】
これらの図において、主要構成部品の一つとして、多角形平板状をなす２種類のアーム１１ａ，アーム１１ｂが使用される。そして、アーム１１ａのコーナ部には、取付け穴１２ａおよび取付け穴１３ａが対向して穿設される。また、アーム１１ｂにも２つの取付け穴がコーナ部に対向して穿設されるが、一方は取付け穴１２ｂであり、他方の取付け穴は、ねじの螺設されたねじ穴１３ｂに形成される。さらに、アーム１１ａおよび１１ｂには、それぞれ取付け穴１２ａ，１２ｂを旋回の中心として円周方向に延びる長穴１４が穿設されている。


【手続補正２】
【補正対象書類名】明細書
【補正対象項目名】００１７
【補正方法】変更
【補正の内容】
【００１７】
上記において、アーム１１ａの一端とアーム１１ｂの一端とは重ね置きされて取付け穴１２ａと取付け穴１２ｂとの中心が一致するように配設される。また、アーム１１ａの他端とアーム１１ｂの他端についても重ね合わせて配設され、取付け穴１３ａとねじ穴１３ｂとが中心軸が一致するように配設される。


【手続補正３】
【補正対象書類名】図面
【補正対象項目名】図４
【補正方法】変更
【補正の内容】
【図４】
2004275672.tif 000008